(57)【要約】  【課題】  ウェブサーバ等の中央装置と通信する携帯型電話機等の端末装置において、カラオケ用の楽曲等の音及び歌詞を表示する画像をデータ化した再生用データを中央装置から取得し、アプリケーションプログラムである再生用プログラム上で実行する場合に、アプリケーションプログラムに詳しくない者でも容易に利用可能な再生用データ送信方法、再生用データ送信システム、中央装置及びコンピュータプログラムを提供する。  【解決手段】  中央装置１０では、再生用データ及び再生用プログラムを記録しておき、端末装置２０から再生用データの送信を要求された場合に、送信要求に基づく再生用データの送信の要求に対して、再生用データ及び再生用プログラムを送信し、端末装置２０では、受信した再生用プログラムを起動し、再生用データを再生用プログラムに読み込んで音及び画像の再生出力を行う。【選択図】      図１
2005354321.tif 000002
【特許請求の範囲】
【請求項１】
再生用データ及び該再生用データに基づいて装置上で再生出力を行う再生用プログラムを記録している中央装置、並びに該中央装置と通信する端末装置を用い、該端末装置にて再生出力を行うべく前記中央装置から再生用データを前記端末装置へ送信する再生用データ送信方法において、
前記端末装置は、
前記中央装置へ再生用データの送信を要求し、
前記中央装置は、
再生用データの送信の要求に対して、再生用データ及び再生用プログラムを送信する
ことを特徴とする再生用データ送信方法。
【請求項２】
前記再生用データは、前記端末装置にて再生用プログラムを実行することにより、再生出力すべき音及び画像をデータ化したものであり、
前記中央装置は、再生用データ及び再生用プログラムを、異なるファイルとして記録及び送信する
ことを特徴とする請求項１に記載の再生用データ送信方法。
【請求項３】
前記端末装置は、携帯型電話機であることを特徴とする請求項１又は請求項２に記載の再生用データ送信方法。
【請求項４】
前記中央装置は、
前記端末装置の種類に対応付けて再生用データ及び再生用プログラムを記録してあり、
前記端末装置の種類を判別し、
判別した種類に対応付けて記録してある再生用データ及び再生用プログラムを、送信すべき再生用データ及び再生用プログラムとして選択する
ことを特徴とする請求項１乃至請求項３のいずれかに記載の再生用データ送信方法。
【請求項５】
中央装置及び該中央装置と通信する端末装置を備え、前記中央装置は、再生用データ及び該再生用データに基づいて前記端末装置上で再生出力を行う再生用プログラムを記録してあり、前記端末装置にて再生出力すべく前記中央装置から再生用データを前記端末装置へ送信する再生用データ送信システムにおいて、
前記端末装置は、
前記中央装置へ再生用データの送信を要求する送信要求を送信する手段を備え、
前記中央装置は、
送信要求に基づく再生用データの送信の要求に対して、再生用データ及び再生用プログラムを送信する手段を備える
ことを特徴とする再生用データ送信システム。
【請求項６】
他の装置と通信する中央装置において、
再生用データ及び該再生用データに基づいて前記他の装置上で再生出力を行う再生用プログラムを記録する手段と、
再生用データの送信を要求する送信要求を受信する手段と、
該送信要求に基づく再生用データの送信の要求に対して、再生用データ及び再生用プログラムを、送信要求の送信元の装置へ送信する手段と
を備えることを特徴とする中央装置。
【請求項７】
通信手段を備えるコンピュータに、記録しているデータを送信させるコンピュータプログラムにおいて、
コンピュータに、予め記録している再生用データの送信を要求する送信要求を他の装置から受信した場合に、受信した送信要求に基づく再生用データの送信の要求に対して、再生用データ及び該再生用データに基づいて送信要求の送信元の装置上で再生出力を行う予め記録している再生用プログラムを、送信要求の送信元の装置へ送信させる手順を実行させることを特徴とするコンピュータプログラム。
【発明の詳細な説明】
【技術分野】
【０００１】
本発明は、中央装置から端末装置へ再生用データを送信する再生用データ送信方法、該再生用データ送信方法を適用した再生用データ送信システム、該再生用データ送信システムにて用いられる中央装置、及び該中央装置を実現するためのコンピュータプログラムに関し、特に端末装置からカラオケ等の音及び画像を再生出力させる再生用データ送信方法、再生用データ送信システム、中央装置及びコンピュータプログラムに関する。
【背景技術】
【０００２】
近年、携帯型電話機は急速に普及してきており、また多機能化も進んでいる。携帯型電話機に付加された代表的な機能としては、パケット通信機能、アプリケーションプログラムの実行機能等の機能が挙げられる。特許文献１では、音楽データを再生するアプリケーションプログラムをサーバコンピュータから携帯型電話機にダウンロードし、ダウンロードしたアプリケーションプログラムを携帯型電話機にて起動し、起動したアプリケーションプログラム上にて別途入手した音楽データを再生出力する音楽データ再現システムが提案されている。
【特許文献１】特開２００１−６１０１９号公報
【発明の開示】
【発明が解決しようとする課題】
【０００３】
しかしながら携帯型電話機の普及は、アプリケーションプログラムについての知識に乏しい層にまでも及んでおり、アプリケーションプログラムについての知識に乏しい人にとっては、アプリケーションプログラムを起動して、音楽データを再生するという概念を理解することは容易ではないという問題がある。従って特許文献１に開示されているシステムでは、携帯型電話機の様々な層の使用者に受け入れられ難いという問題点を備えている。
【０００４】
本発明は斯かる事情に鑑みてなされたものであり、携帯型電話機等の端末装置から中央装置にアクセスし、端末装置に記録されている音楽データ及び歌詞等の再生用データの送信を要求した場合に、中央装置から端末装置へ、再生用データと、再生用データに基づいて端末装置上で音及び画像を再生出力するアプリケーションプログラムである再生用プログラムとを送信することにより、アプリケーションプログラムを意識することなく再生用データに基づく音及び画像の再生を実行することが可能な再生用データ送信方法、該再生用データ送信方法を適用した再生用データ送信システム、該再生用データ送信システムにて用いられる中央装置、及び該中央装置を実現するためのコンピュータプログラムの提供を目的とする。
【課題を解決するための手段】
【０００５】
第１発明に係る再生用データ送信方法は、再生用データ及び該再生用データに基づいて装置上で再生出力を行う再生用プログラムを記録している中央装置、並びに該中央装置と通信する端末装置を用い、該端末装置にて再生出力を行うべく前記中央装置から再生用データを前記端末装置へ送信する再生用データ送信方法において、前記端末装置は、前記中央装置へ再生用データの送信を要求し、前記中央装置は、再生用データの送信の要求に対して、再生用データ及び再生用プログラムを送信することを特徴とする。
【０００６】
第２発明に係る再生用データ送信方法は、第１発明において、前記再生用データは、前記端末装置にて再生用プログラムを実行することにより、再生出力すべき音及び画像をデータ化したものであり、前記中央装置は、再生用データ及び再生用プログラムを、異なるファイルとして記録及び送信することを特徴とする。
【０００７】
第３発明に係る再生用データ送信方法は、第１発明又は第２発明において、前記端末装置は、携帯型電話機であることを特徴とする。
【０００８】
第４発明に係る再生用データ送信方法は、第１発明乃至第３発明のいずれかにおいて、前記中央装置は、前記端末装置の種類に対応付けて再生用データ及び再生用プログラムを記録してあり、前記端末装置の種類を判別し、判別した種類に対応付けて記録してある再生用データ及び再生用プログラムを、送信すべき再生用データ及び再生用プログラムとして選択することを特徴とする。
【０００９】
第５発明に係る再生用データ送信システムは、中央装置及び該中央装置と通信する端末装置を備え、前記中央装置は、再生用データ及び該再生用データに基づいて前記端末装置上で再生出力を行う再生用プログラムを記録してあり、前記端末装置にて再生出力すべく前記中央装置から再生用データを前記端末装置へ送信する再生用データ送信システムにおいて、前記端末装置は、前記中央装置へ再生用データの送信を要求する送信要求を送信する手段を備え、前記中央装置は、送信要求に基づく再生用データの送信の要求に対して、再生用データ及び再生用プログラムを送信する手段を備えることを特徴とする。
【００１０】
第６発明に係る中央装置は、他の装置と通信する中央装置において、再生用データ及び該再生用データに基づいて前記他の装置上で再生出力を行う再生用プログラムを記録する手段と、再生用データの送信を要求する送信要求を受信する手段と、該送信要求に基づく再生用データの送信の要求に対して、再生用データ及び再生用プログラムを、送信要求の送信元の装置へ送信する手段とを備えることを特徴とする。
【００１１】
第７発明に係るコンピュータプログラムは、通信手段を備えるコンピュータに、記録しているデータを送信させるコンピュータプログラムにおいて、コンピュータに、予め記録している再生用データの送信を要求する送信要求を他の装置から受信した場合に、受信した送信要求に基づく再生用データの送信の要求に対して、再生用データ及び該再生用データに基づいて送信要求の送信元の装置上で再生出力を行う予め記録している再生用プログラムを、送信要求の送信元の装置へ送信させる手順を実行させることを特徴とする。
【００１２】
本発明に係る再生用データ送信方法、再生用データ送信システム、中央装置及びコンピュータプログラムでは、携帯型電話機等の端末装置からの再生用データの要求に対して、再生用データと共に、アプリケーションプログラムである再生用プログラムをも送信することにより、端末装置の使用者は、中央装置にアクセスして、所望する再生用データを選択するという操作を行うだけで、アプリケーションプログラムを意識することなく再生用データに基づく再生出力を実行することができるので、様々な層の使用者が容易に利用することが可能である。
【発明の効果】
【００１３】
本発明に係る再生用データ送信方法、再生用データ送信システム、中央装置及びコンピュータプログラムでは、サーバコンピュータ等の中央装置及び該中央装置とインターネット等の通信網を介して接続する携帯型電話機等の端末装置を用い、例えばカラオケ用の楽曲等の音及び歌詞として表示される画像をデータ化した再生用データ並びに該再生用データに基づいて端末装置上で音及び画像を再生出力するアプリケーションプログラムである再生用プログラムを記録しておく。そして端末装置を操作する使用者は、中央装置にアクセスし、例えば曲名一覧として表示される再生用データのタイトルを確認し、所望する再生用データの送信を要求する操作を行う。操作を受け付けた端末装置は、中央装置へ再生用データの送信を要求する送信要求を送信し、中央装置では、送信要求に基づく再生用データの送信の要求に対し、再生用データ及び再生用プログラムを端末装置へ送信する。端末装置では、受信した再生用プログラムを起動し、再生用データを再生用プログラムに読み込んで音の再生出力を行う。
【００１４】
この構成により、使用者は、アプリケーションプログラムについての知識が無くとも、所望する再生用データを選択するという操作を行うだけで、アプリケーションプログラムを意識することなく再生用データに基づく再生出力を実行することが可能であり、特に操作方法としては、広く普及している着信メロディのダウンロード方法と実質的に同様であるので、様々な層の使用者が容易に利用することが可能であり、従って様々な層への浸透が見込める等、優れた効果を奏する。さらに再生用データを選択する都度、再生用プログラムをダウンロードすることになるので、再生用プログラムのバージョンアップに伴う再配布等の処理を容易に実現することが可能である等、優れた効果を奏する。
【００１５】
しかも中央装置では、端末装置の機種等の種類を判別した上で、判別した種類に応じた再生用データ及び再生用プログラムを送信することにより、使用者に対して更に利便性の高いシステムを提供することが可能である等、優れた効果を奏する。
【００１６】
また中央装置では、再生用データ及び再生用プログラムを一体化せず、異なるファイルとして記録することにより、中央装置の記録容量を有効利用することが可能である。
【発明を実施するための最良の形態】
【００１７】
以下、本発明をその実施の形態を示す図面に基づいて詳述する。
【００１８】
図１は本発明の再生用データ送信システムを概念的に示す説明図である。図１中１０は、ウェブサーバコンピュータを用いた本発明の中央装置であり、中央装置１０は、インターネット等の通信網１００に接続されている。通信網１００は、各種中継装置及び基地局等の装置により構成されており、またこれらの装置により構成される通信網１００を介して、携帯型電話機等の端末装置２０が、中央装置１０に接続している。中央装置１０を管理又はレンタル使用する管理者は、中央装置１０に、カラオケ用の楽曲として用いられる音及びカラオケ用の歌詞として表示される画像をデータ化した再生用データを配信するサービスを提供しており、端末装置２０は、中央装置１０を用いて提供されるサービスを受ける使用者により管理されている。なお端末装置２０は、中央装置１０から提供される再生用データの再生出力に特化した装置ではないため、再生用データを再生出力するためには、専用のアプリケーションプログラムである再生用プログラムを実行する必要がある。
【００１９】
図２は本発明の再生用データ送信システムが備える各種装置の構成を示すブロック図である。中央装置１０は、装置全体を制御するＣＰＵ(Central Processing Unit) 等の制御手段１１、本発明のコンピュータプログラム２００及びデータ等の各種情報を記録したＣＤ−ＲＯＭ(Compact Disc Read Only Memory) 等の記録媒体３００から各種情報を読み取るＣＤ−ＲＯＭドライブ等の補助記憶手段１２、補助記憶手段１２により読み取った各種情報を記録するハードディスク等の記録手段１３、及び情報を一時的に記憶するＲＡＭ(Random Access Memory)等の記憶手段１４を備えている。そして記録手段１３に記録したコンピュータプログラム２００及びデータ等の各種情報を読み取り、記憶手段１４に記憶させて制御手段１１により実行することで、ウェブサーバコンピュータは、本発明の中央装置１０として機能する。さらに中央装置１０は、通信網１００に接続して他の装置と通信を行うための通信手段１５を備えている。
【００２０】
また中央装置１０が備える記録手段１３の記録領域の一部には、端末装置２０に対し、再生用データを提供するサービスに用いるウェブページを出力させるためのＣ−ＨＴＭＬ(Compact Hyper-Text Markup Language)、ＭＭＬ(Mobile Markup Language)及びＨＤＭＬ(Handheld Device Markup Language) 等のページ記述言語で記述された各種情報が記録されている。更に記録手段１３の記録領域の一部には、様々な再生用データ及び再生用プログラムが、端末装置２０の機種等の種類に対応付けて記録されている。また記録手段１３の記録領域の一部には、夫々の端末装置２０を識別する電話番号等の識別情報と、端末装置の機種等の種類とが対応付けて記録されている。なお中央装置１０が備える記録手段１３の記録領域の一部に再生用データ及び再生用プログラム並びに端末装置２０の識別情報及び種類を記録するのではなく、中央装置１０又は通信網１００に接続する他の装置に再生用データ及び再生用プログラム並びに端末装置２０の識別情報及び種類を記録する様にしても良い。また再生用データ及び再生用プログラムは、一体化したファイルではなく、夫々異なるファイルとして記録されている。
【００２１】
端末装置２０は、装置全体の通信処理、音声処理、アプリケーションプログラムの実行処理等の各種処理を制御するＣＰＵ等の制御手段２１、各種処理に必要なコンピュータプログラム及びデータ等の情報を記録するＲＯＭ(Read Only Memory)、ＲＡＭ等の記録手段２２を備えている。さらに制御手段２１は、通信を制御する通信制御手段２３を制御し、通信制御手段２３は、通話用のデジタル音声情報、ページ記述言語で記述された各種情報等の情報を送受信するアンテナ等の通信手段２４を制御する。また制御手段２１は、スピーカ等の音声出力手段２５及びマイク等の音声入力手段２６に出力又は入力される音声信号の変換処理を行う音声処理手段２７を制御する。音声処理手段２７による変換処理とは、音声出力手段２５から出力すべきデジタル信号を音声信号に変換する処理、及び音声入力手段２６から入力された音声に基づく音声信号をデジタル信号に変換する処理である。そして端末装置２０は、制御手段２１の制御により、英数字及び各種命令等のキー入力を受け付ける押し釦等のキー入力手段２８から入力を受け付け、キー入力された情報及び送受信する情報等の各種情報を表示する液晶ディスプレイ等の表示手段２９に必要な情報を表示させる。
【００２２】
さらに端末装置２０が備える記録手段２２にはページ記述言語で記述された各種情報をウェブページとして表示するための閲覧用ソフトウェアプログラム（以下、ブラウザという）が記録されており、ブラウザの処理により受信した中央装置１０から通信網１００を介して受信した情報をウェブページとして表示手段２９から表示させる。また記録手段２２に記録している各種アプリケーションプログラムを制御手段２１により実行することで、端末装置２０は、実行するアプリケーションプログラムに基づく様々な処理を行うことが可能である。
【００２３】
次に本発明の再生用データ送信システムが備える各種装置の処理について説明する。端末装置２０の使用者は、端末装置２０を操作してブラウザを起動し、中央装置１０にアクセスすることで、中央装置１０からページ記述言語で記述された各種情報を受信し、受信した各種情報をブラウザに読み込み、再生用データの送信を要求するためのウェブページとしてウェブページとして表示手段２９から表示させる。なお当該端末装置２０から中央装置１０へのアクセスが初めてである場合、端末装置２０から中央装置１０へ、端末装置２０の機種等の種類を通知するための通信を行う。そして中央装置１０では、端末装置２０を識別する電話番号等の識別情報に対応付けて、通知された種類を記録する。
【００２４】
図３は本発明の再生用データ送信システムが備える端末装置２０の表示手段２９から表示される画像を示す説明図である。図３は、再生用データの送信を要求するためのウェブページを示しており、再生用データを再生することにより出力される音の名称、ここではカラオケ用の楽曲の曲名が一覧の形式で表示されている。使用者は表示されている一覧の中から所望する楽曲を選択し、選択した楽曲及びその歌詞を音及び画像として出力するための再生用データの送信を要求する操作を行う。
【００２５】
図４は本発明の再生用データ送信システムが備える中央装置１０及び端末装置２０の処理を示すフローチャートである。端末装置２０は、キー入力手段２８から使用者の操作を受け付け、制御手段２１の制御により、再生用データの送信を要求する送信要求を、通信手段２４から通信網１００を介して中央装置１０へ送信する（ステップＳ１）。送信要求とは、具体的には、選択された再生用データを取得すべく、再生用データが記録されている通信網１００上の位置にアクセスする処理を示す。
【００２６】
中央装置１０では、記憶手段１４に記録された本発明のコンピュータプログラム２００を実行する制御手段１１の制御により、通信手段１５にて送信要求を受信し（ステップＳ２）、受信した送信要求の送信元の端末装置２０の種類を判別する（ステップＳ３）。ステップＳ３における端末装置２０の判別は、送信要求の送信元である端末装置２０の識別情報を検出し、検出した識別情報に対応付けて記録している端末装置２０の種類を検索することにより判別することができる。また端末装置２０から送信される送信要求に含まれる電文情報から種類を判別する様にしても良い。
【００２７】
中央装置１０では、制御手段１１の制御により、送信要求として要求されている再生用データの中から、判別した種類に対応付けて記録されている再生用データを選択し（ステップＳ４）、更に判別した種類に対応付けて記録されている再生用プログラムを選択し（ステップＳ５）、選択した再生用データ及び再生用プログラムを記録手段１３から抽出する（ステップＳ６）。
【００２８】
そして中央装置１０では、制御手段１１の制御により、ステップＳ２にて受信した送信要求に基づく再生用データの送信の要求に対して、ステップＳ６にて抽出した再生用データ及び再生用プログラムを、通信手段１５から通信網１００を介して端末装置２０へ送信する（ステップＳ７）。なおステップＳ７にて送信される再生用データ及び再生用プログラムは一体化されたファイルではなく、異なる二のファイルである。
【００２９】
端末装置２０では、制御手段１１の制御により、通信手段２４にて再生用データ及び再生用プログラムを受信し（ステップＳ８）、受信した再生用データ及び再生用プログラムを記録手段１３に記録し（ステップＳ９）、記録した再生用プログラムを起動して（ステップＳ１０）、起動した再生用プログラムにより、受信した再生用データを読み込み（ステップＳ１１）、読み込んだ再生用データに基づく音を音声出力手段２５から出力する再生出力を行い、また再生用データに基づく画像を表示手段２９に表示する再生出力を行う（ステップＳ１２）。なお記録手段１３に既に再生用プログラムが記録されている場合、受信した再生用プログラムを無条件に上書きする様にしても良いが、受信した再生用プログラムのバージョンと、記録している再生用プログラムのバージョンとを夫々検出及び比較し、受信した再生用プログラムのバージョンの方が、記録している再生用プログラムのバージョンより新しい場合に限り、上書きする様にしても良い。またステップＳ１０における再生用プログラムの起動は、再生用プログラムを受信後、自動的に行う様にしても良く、また使用者に対して起動の確認を要求する様にしても良い。このようにして使用者は、選択したカラオケ用の楽曲等の音及び画像を出力させることができる。
【００３０】
前記実施の形態では、カラオケ用の楽曲として再生用データに基づく音及び画像を再生出力する形態を示したが、本発明はこれに限らず、音及び画像（動画）を出力するゲームデータである再生用データを、ゲームプログラムである再生用プログラムにて再生出力する様にする等、様々な形態に展開することが可能である。
【００３１】
また前記実施の形態では、再生用データ及び再生用プログラムを夫々別々に記録及び送信する形態を示したが、再生用プログラムと一体化した再生用データを作成し、一体化された再生用データ及び再生用プログラムを記録及び送信する様にしても良い。
【図面の簡単な説明】
【００３２】
【図１】本発明の再生用データ送信システムを概念的に示す説明図である。
【図２】本発明の再生用データ送信システムが備える各種装置の構成を示すブロック図である。
【図３】本発明の再生用データ送信システムが備える端末装置の表示手段から表示される画像を示す説明図である。
【図４】本発明の再生用データ送信システムが備える中央装置及び端末装置の処理を示すフローチャートである。
【符号の説明】
【００３３】
１０  中央装置
２０  端末装置
１００  通信網
２００  コンピュータプログラム
【図１】
2005354321.tif 000003
【図２】
2005354321.tif 000004
【図３】
2005354321.tif 000005
【図４】
2005354321.tif 000006